(57)【要約】【課題】プロジェクタの動作異常が生じた場合に、状況に即して、かつ、タイムリーに管理者に動作異常を連絡することのできるプロジェクタを提供すること。【解決手段】本発明のプロジェクタは、制御手段と、当該プロジェクタの動作に異常が生じたときにイベント発生信号を出力するセンサ等とを備え、制御手段は、センサ等から出力されるイベント発生信号を検出する動作状態信号検出部３１５と、検出されたイベント発生信号に基づいて、音声アラート参照テーブルを参照して、音声アラート信号を取得する音声アラート参照部３１６と、生成された音声アラートを、予め登録された携帯電話機に発信する無線発信部とを備えている。【選択図】図４
2006337766.tif 000002
【特許請求の範囲】
【請求項１】
光源と、この光源から射出された光束を変調する光変調装置と、この光変調装置にて変調された光束を拡大投射する投射光学装置と、これらを含む装置本体の駆動制御を行う制御手段とを備えたプロジェクタであって、
当該プロジェクタの動作状態を監視し、動作に異常が生じたときにイベント発生信号を出力する状態監視手段を備え、
前記制御手段は、
前記状態監視手段から出力されるイベント発生信号を検出するイベント発生信号検出部と、
当該イベント発生信号検出部により検出されたイベント発生信号に基づいて、音声アラート信号を生成する音声アラート信号生成部と、
当該音声アラート信号生成部により生成された音声アラート信号を、予め登録された受話装置に発信する音声アラート信号発信部とを備えていることを特徴とするプロジェクタ。
【請求項２】
請求項１に記載のプロジェクタにおいて、
前記制御手段は、
外部から入力される任意の音声情報を記憶する音声アラート信号記憶部と、
当該音声アラート記憶部により記憶された音声情報に対応するイベント発生信号の種別の選択を促す音声設定画面を、投射画面に表示させる音声情報設定部と、
当該音声アラート記憶部により記憶された音声情報を前記音声アラート信号とし、当該音声アラート信号、および、前記音声設定画面で選択されたイベント発生信号の種別を関連づけて、前記音声アラート信号記憶部に登録する音声アラート信号登録部とを備え、
前記音声アラート信号生成部は、前記音声アラート信号記憶部内において、前記イベント発生信号検出部により検出されたイベント発生信号に応じた音声アラート信号を探索して、音声アラート信号を生成することを特徴とするプロジェクタ。
【請求項３】
請求項１または請求項２に記載のプロジェクタにおいて、
前記制御手段は、
前記イベント発生信号の種別に応じて前記受話装置の発信先の登録を促す発信先登録画面を、投射画面に表示させる発信先設定部と、
前記イベント発生信号の種別に応じて登録された受話装置の発信先を記憶する発信先記憶部と、
前記イベント発生信号検出部によりイベント発生信号が検出されると、前記発信先記憶部に記憶された発信先のうち、前記イベント発生信号に応じた発信先を取得する発信先取得部とを備え、
前記音声アラート信号発信部は、前記発信先取得部により取得された発信先の受話装置に、前記音声アラート情報生成部により生成された前記音声アラート信号を発信することを特徴とするプロジェクタ。
【請求項４】
請求項３に記載のプロジェクタにおいて、
前記発信先設定部は、１種類の前記イベント発生信号に対し、複数の前記受話装置の発信先の登録を促す発信先登録画面を表示させる特徴とするプロジェクタ。
【請求項５】
請求項１〜請求項４のいずれかに記載のプロジェクタにおいて、
前記状態監視手段は、当該プロジェクタの動作の異常が解消されると、状態復帰信号を出力し、
前記イベント発生信号検出部は、前記出力された状態復帰信号を検出し、
前記音声アラート信号生成部は、前記検出された状態復帰信号に基づいて音声復帰アラート信号を生成し、
前記音声アラート信号発信部は、前記生成された音声復帰アラート信号を、前記受話装置に発信することを特徴とするプロジェクタ。
【発明の詳細な説明】
【技術分野】
【０００１】
本発明は、プロジェクタに関する。
【背景技術】
【０００２】
従来から、会議、学会等でのプレゼンテーションや、映画鑑賞などに、プロジェクタが用いられている。このようなプロジェクタは、光源ランプから射出される光束を画像情報に応じて変調して光学像を形成し、形成した光学像をスクリーン等に拡大投射するものである。
【０００３】
多くのプロジェクタは、動作中に異常が生じた場合、光や音を出力して、異常の発生を操作者に連絡する。
例えば、多くのプロジェクタは、当該プロジェクタに設けられた液晶モニタ上における警告文の表示、ＬＥＤ(Light Emitting Diode)ランプの点滅、ブザー音の出力、さらには、投射画面上でのメッセージの表示等によって、管理者に動作の異常を連絡している。
また、あるプロジェクタは、異常の内容を記載したＥメールを、インターネットを経由して管理者のコンピュータ等に送信する方法を用いている（例えば、特許文献１）。
【０００４】
【特許文献１】特開２００４−９４４４３号公報
【発明の開示】
【発明が解決しようとする課題】
【０００５】
しかし、前述のような異常連絡方法では、プロジェクタがプレゼンテーションや映画上映等の公共性の高い場所で使用されている場合に、次のような問題が生じる。
まず、ＬＥＤランプ点滅やブザー音など、光や音の外部出力による連絡は、当該プロジェクタによるプレゼンテーションや映画上映等の視聴環境を妨害するという問題がある。
【０００６】
また、液晶モニタ上での表示や、ＬＥＤランプの点滅、ブザー音の出力などによる連絡は、当該プロジェクタの近傍でしか確認できない。すなわち、管理者が当該プロジェクタからある程度離れた位置にいる場合、当該プロジェクタの連絡動作に気づくことができないという恐れがある。
さらに、管理者が当該プロジェクタの連絡動作に気づいたとしても、管理者がその連絡が意味するプロジェクタの異常を理解していない場合、当該アラートの対応を速やかに行うことができないという問題がある。
【０００７】
そして、特許文献１に記載のプロジェクタでは、インターネットを経由してＥメールを送信するが、中継するサーバの負荷が大きい場合、送信したＥメールの通信が遅延する可能性がある。このため、特許文献１に記載のプロジェクタによる異常連絡は、通信の即時性および信頼性が低いという課題がある。
【０００８】
本発明の目的は、プロジェクタの動作状態に異常が生じた場合に、状況に応じて、かつ、タイムリーに管理者に異常を連絡することのできるプロジェクタを提供することである。
【課題を解決するための手段】
【０００９】
前記した目的を達成するために、本発明のプロジェクタは、光源と、この光源から射出された光束を変調する光変調装置と、この光変調装置にて変調された光束を拡大投射する投射光学装置と、これらを含む装置本体の駆動制御を行う制御手段とを備えたプロジェクタであって、当該プロジェクタの動作状態を監視し、動作に異常が生じたときにイベント発生信号を出力する状態監視手段を備え、前記制御手段は、前記状態監視手段から出力されるイベント発生信号を検出するイベント発生信号検出部と、当該イベント発生信号検出部により検出されたイベント発生信号に基づいて、音声アラート信号を生成する音声アラート信号生成部と、当該音声アラート信号生成部により生成された音声アラート信号を、予め登録された受話装置に発信する音声アラート信号発信部とを備えていることを特徴とする。
【００１０】
ここで、プロジェクタの動作状態の異常とは、プロジェクタの装置内部でのエラーや、光源の寿命、装置内部温度の異常な上昇等を挙げることができる。
また、受話装置として、例えば、携帯電話機や固定電話、トランシーバなど、少なくとも受話機能を備えた通信装置が挙げることができる。
【００１１】
本発明によれば、プロジェクタの動作上に異常が発生した際に、この異常を伝える音声アラート信号を、予め登録された受話装置に発信することができる。すなわち、当該プロジェクタの動作状態の異常を、受話装置を所有している管理者に音声で連絡することができる。
受話装置を介した音声による連絡であることから、当該プロジェクタに設けられた液晶モニタやＬＥＤランプ等の点灯、および、ブザー音の出力等に比べて、当該プロジェクタによる投射映像や音声の視聴を妨害せずに済む。従って、本発明のプロジェクタは、プロジェクタの使用状況に応じて、管理者に動作状態の異常を連絡することができる。
【００１２】
また、音声による連絡は、例えば、インターネットを介したＥメールによる連絡と比べて、通信システムの混雑よる通信の遅延等が生じにくい。従って、本発明のプロジェクタは、プロジェクタの動作状態の異常を、タイムリーに、かつ、確実に、管理者に連絡することができる。
音声アラート信号生成部は、異常の種類やレベルに応じた音声アラート信号を生成することができる。従って、プロジェクタに発生した異常について、その詳細な情報を管理者に連絡することができる。
【００１３】
本発明では、前記制御手段は、外部から入力される任意の音声情報を記憶する音声アラート信号記憶部と、当該音声アラート記憶部により記憶された音声情報に対応するイベント発生信号の種別の選択を促す音声設定画面を、投射画面に表示させる音声情報設定部と、前記音声アラート記憶部により記憶された音声情報を前記音声アラート信号とし、当該音声アラート信号、および、前記音声設定画面で選択されたイベント発生信号の種別を関連づけて、前記音声アラート信号記憶部に登録する音声アラート信号登録部とを備え、前記音声アラート信号生成部は、前記音声アラート信号記憶部内において、前記イベント発生信号検出部により検出されたイベント発生信号に応じた音声アラート信号を探索して、音声アラート信号を生成することが好ましい。
【００１４】
本発明によれば、音声入力部を介して外部から入力する音声情報を音声アラート信号として取得し、さらに、当該音声アラート信号と、音声設定画面において選択されたイベント発生信号の種別とを関連付けて、音声アラート信号記憶部に記憶させることができる。
従って、各イベント発生信号に対応する音声アラート信号を、管理者が音声入力部を介して自由に入力し、登録することができる。
【００１５】
本発明では、前記制御手段は、前記イベント発生信号の種別に応じて前記受話装置の発信先の登録を促す発信先登録画面を、投射画面に表示させる発信先設定部と、前記イベント発生信号の種別に応じて登録された受話装置の発信先を記憶する発信先記憶部と、前記イベント発生信号検出部によりイベント発生信号が検出されると、前記発信先記憶部に記憶された発信先のうち、前記イベント発生信号に応じた発信先を取得する発信先取得部とを備え、前記音声アラート信号発信部は、前記発信先取得部により取得された発信先の受話装置に、前記音声アラート情報生成部で生成された前記音声アラート信号を発信することが好ましい。
【００１６】
本発明によれば、発信先登録画面においてイベント発生信号に対応する発信先を設定し、さらに、当該イベント発生信号と設定された発信先とを関連付けて、発信先記憶部に記憶させることができる。
従って、プロジェクタの動作状態の異常を伝える音声アラート信号の発信先を、管理者が自由に設定することができる。言い換えれば、プロジェクタの動作状態の異常を伝える連絡先を、管理者が自由に決定することができる。
【００１７】
本発明では、前記発信先設定部は、１種類の前記イベント発生信号に対し、複数の前記受話装置の発信先の登録を促す発信先登録画面を表示させることが好ましい。
本発明によれば、配信先登録画面において、１種類のイベント発生信号に対して複数の配信先を設定することができる。従って、プロジェクタの動作上に発生したある１種類の異常を伝える音声アラート信号を、複数の受話装置に発信することができる。言い換えれば、プロジェクタの動作上に生じたある１つの異常を、複数の管理者に連絡することができる。
【００１８】
本発明では、前記状態監視手段は、当該プロジェクタの動作の異常が解消されると、状態復帰信号を出力し、前記イベント発生信号検出部は、前記出力された状態復帰信号を検出し、前記音声アラート信号生成部は、前記検出された状態復帰信号に基づいて音声復帰アラート信号を生成し、前記音声アラート信号発信部は、前記生成された音声復帰アラート信号を、前記受話装置に発信することを特徴とすることが好ましい。
本発明によれば、プロジェクタの動作状態の異常が復元されて、プロジェクタが通常の動作状態に復帰すると、音声復帰アラート信号が受話装置に発信される。従って、本発明のプロジェクタは、プロジェクタの動作状態の復帰を、状況に応じて、かつ、タイムリーに管理者に連絡することができる。
【発明を実施するための最良の形態】
【００１９】
以下、本発明の一実施形態を図面に基づいて説明する。
本実施形態に係るプロジェクタ１を、図１〜図９に基づいて説明する。
〔１．本実施形態の概略構成〕
図１は、本実施形態に係るプロジェクタ１、および、当該プロジェクタ１と通信可能な複数台の携帯電話機９を示す図である。
プロジェクタ１には、音声情報を無線に変換して発信する無線発信部４２（図３）が設けられており、この無線発信部４２が、通信システム９０を介して、携帯電話機９を含む電話機に音声情報を発信することができる。
プロジェクタ１は、後述する光学エンジン２を内蔵し、入力する画像情報に基づく画像を外部のスクリーンＳｃ（図３）等に投射している。
また、受話装置としての携帯電話機９は、一般に広く普及している携帯電話機であり、通話機能やデータ通信機能等を備えている。携帯電話機９は、無線通信を利用して通信システム９０に通信接続し、この通信システム９０を介して、音声通話等のやり取りを行うことができる。
【００２０】
〔２．光学エンジン２の構成〕
図２は、光学エンジン２の光学系の構成を示す模式平面図である。
光学エンジン２は、図２に示すように、光源ランプ２１１から射出された光束を変調して、後述する制御基板３から入力される画像情報に応じた光学像を形成し、当該形成した光学像を投射レンズ２６により拡大投射するものである。
このような光学エンジン２は、光源装置２１と、インテグレータ照明光学系２２と、色分離光学系２３と、リレー光学系２４と、光学装置２５と、投射光学装置としての投射レンズ２６と、これらを内部に収納する光学部品用筐体（図示省略）と、投射レンズ２６を保持固定するヘッド体（図示省略）とを備えて構成されている。
【００２１】
光源装置２１は、放射光源としての光源ランプ２１１と、リフレクタ２１２と、防爆ガラス２１３とを備えて構成されている。そして、この光源装置２１は、光源ランプ２１１から射出された放射状の光線をリフレクタ２１２で反射して平行光線とし、この平行光線を、防爆ガラス２１３を介して外部へと射出する。
このうち、光源ランプ２１１は、本実施形態では、高圧水銀ランプが採用されている。なお、高圧水銀ランプ以外に、メタルハライドランプやハロゲンランプ等を採用することもできる。また、リフレクタ２１２としては、放物面鏡を採用しているが、放物面鏡の代わりに、平行化凹レンズおよび楕円面鏡を組み合わせたものを採用してもよい。
【００２２】
防爆ガラス２１３は、リフレクタ２１２の開口部分を閉塞する透光性のガラス部材であり、光源ランプ２１１が破裂した場合に、当該光源ランプ２１１の破片が外部に飛散しないように構成されている。
【００２３】
インテグレータ照明光学系２２は、光学装置２５を構成する後述する２つの液晶パネル２５１の画像形成領域をほぼ均一に照明するための光学系である。このインテグレータ照明光学系２２は、第１レンズアレイ２２１と、第２レンズアレイ２２２と、偏光変換素子２２３と、重畳レンズ２２４とを備えて構成されている。
【００２４】
第１レンズアレイ２２１は、光軸方向から見てほぼ矩形状の輪郭を有する小レンズがマトリクス状に配列された構成を有し、各小レンズは、光源装置２１から射出された光束を複数の部分光束に分割している。
第２レンズアレイ２２２は、第１レンズアレイ２２１と略同様な構成を有しており、小レンズがマトリクス状に配列された構成を有している。この第２レンズアレイ２２２は、重畳レンズ２２４とともに、第１レンズアレイ２２１の各小レンズの像を後述する液晶パネル２５１上に結像させる機能を有する。
【００２５】
偏光変換素子２２３は、第２レンズアレイ２２２と重畳レンズ２２４との間に配設される。このような偏光変換素子２２３は、第２レンズアレイ２２２からの光を略１種類の直線偏光に変換するものであり、これにより、光学装置２５での光の利用効率が高められている。
【００２６】
具体的に、偏光変換素子２２３によって略１種類の直線偏光に変換された各部分光は、重畳レンズ２２４によって最終的に光学装置２５の後述する液晶パネル２５１上にほぼ重畳される。偏光光を変調するタイプの液晶パネル２５１を用いたプロジェクタ１では、１種類の直線偏光しか利用できないため、他種類のランダムな偏光光を発する光源ランプ２１１からの光のほぼ半分が利用されない。そこで、偏光変換素子２２３を用いることにより、光源ランプ２１１から射出された光束を略１種類の直線偏光に変換し、光学装置２５での光の利用効率を高めている。
【００２７】
色分離光学系２３は、２枚のダイクロイックミラー２３１，２３２と、反射ミラー２３３とを備え、ダイクロイックミラー２３１，２３２により、インテグレータ照明光学系２２から射出された複数の部分光束を赤（Ｒ）、緑（Ｇ）、青（Ｂ）の２色の色光に分離する機能を有している。
【００２８】
リレー光学系２４は、入射側レンズ２４１と、リレーレンズ２４２と、反射ミラー２４３，２４４とを備え、色分離光学系２３で分離された色光である赤色光を光学装置２５の後述する赤色光用の液晶パネル２５１Ｒまで導く機能を有している。
【００２９】
この際、色分離光学系２３のダイクロイックミラー２３１では、インテグレータ照明光学系２２から射出された光束の赤色光成分と緑色光成分とが透過するとともに、青色光成分が反射する。ダイクロイックミラー２３１によって反射した青色光は、反射ミラー２３３で反射し、フィールドレンズ２５５を通って、光学装置２５の後述する青色光用の液晶パネル２５１Ｂに到達する。このフィールドレンズ２５５は、第２レンズアレイ２２２から射出された各部分光束をその中心軸（主光線）に対して平行な光束に変換する。他の緑色光用、赤色光用の光変調装置の光束入射側に設けられたフィールドレンズ２５５も同様である。
【００３０】
また、ダイクロイックミラー２３１を透過した赤色光と緑色光のうちで、緑色光は、ダイクロイックミラー２３２によって反射し、フィールドレンズ２５５を通って、緑色光用の液晶パネル２５１Ｇに到達する。一方、赤色光は、ダイクロイックミラー２３２を透過してリレー光学系２４を通り、さらにフィールドレンズ２５５を通って、赤色光用の液晶パネル２５１Ｒに到達する。
【００３１】
なお、赤色光にリレー光学系２４が用いられているのは、赤色光の光路の長さが他の色
光の光路の長さよりも長いため、光の発散等による光の利用効率の低下を防止するためである。すなわち、入射側レンズ２４１に入射した部分光束をそのまま、フィールドレンズ２５５に伝えるためである。なお、リレー光学系２４には、２つの色光のうち赤色光を通す構成としたが、これに限らず、例えば、青色光、緑色光を通す構成としてもよい。
【００３２】
光学装置２５は、入射された光束を画像情報に応じて変調してカラー画像を形成するものである。光学装置２５は、色分離光学系２３で分離された各色光が入射される２つの入射側偏光板２５２と、各入射側偏光板２５２の光路後段に配置される２つの液晶パネル２５１（赤色光用の液晶パネルを２５１Ｒ、緑色光用の液晶パネルを２５１Ｇ、青色光用の液晶パネルを２５１Ｂとする）と、各液晶パネル２５１の光路後段に配置される２つの射出側偏光板２５３と、色合成光学装置としてのクロスダイクロイックプリズム２５４とを備える。なお、液晶パネル２５１は、本発明の光変調装置に相当する。
【００３３】
そして、これら入射側偏光板２５２、液晶パネル２５１、射出側偏光板２５３、およびクロスダイクロイックプリズム２５４は、一体的に装置化されている。なお、入射側偏光板２５２、液晶パネル２５１、および、射出側偏光板２５３は、具体的な図示は省略するが、所定の間隔を空けて配置している。
【００３４】
入射側偏光板２５２は、偏光変換素子２２３で偏光方向が略一方向に揃えられた各色光が入射され、入射された光束のうち、偏光変換素子２２３で揃えられた光束の偏光軸と略同一方向の偏光光のみ透過させ、その他の光束を吸収するものである。この入射側偏光板２５２は、例えば、サファイアガラスまたは水晶等の透光性基板上に偏光膜が貼付された構成を有している。
【００３５】
液晶パネル２５１は、一対の透明ガラス基板に電気光学物質である液晶が密閉封入された構成を有し、後述する制御基板から出力される駆動信号に応じて、画像形成領域内にある前記液晶の配向状態が制御され、入射側偏光板２５２から射出された偏光光束の偏光方向を変調する。
射出側偏光板２５３は、入射側偏光板２５２と略同様の構成であり、液晶パネル２５１の画像形成領域から射出された光束のうち、入射側偏光板２５２における光束の透過軸と直交する偏光軸を有する光束のみ透過させ、その他の光束を吸収するものである。
【００３６】
クロスダイクロイックプリズム２５４は、射出側偏光板２５３から射出された色光毎に変調された光学像を合成してカラー画像を形成する光学素子である。このクロスダイクロイックプリズム２５４は、４つの直角プリズムを貼り合わせた平面視正方形状をなし、直角プリズム同士を貼り合わせた界面には、２つの誘電体多層膜が形成されている。これら誘電体多層膜は、液晶パネル２５１Ｒ，２５１Ｂから射出され射出側偏光板２５３を介した各色光を反射し、液晶パネル２５１Ｇから射出され射出側偏光板２５３を介した色光を透過する。このようにして、各液晶パネル２５１Ｒ，２５１Ｇ，２５１Ｂにて変調された各色光が合成され、カラー画像が形成される。
【００３７】
投射レンズ２６は、鏡筒内に複数のレンズ、および、入射光束を偏向するミラーが収納された構成を有し、光学装置２５から射出されたカラー画像を拡大してスクリーンＳｃ（図３）に投射するものである。この投射レンズ２６は、光学装置２５の光束射出側に配置され、後述するヘッド体に固定されている。
【００３８】
光学部品用筐体は、内部に所定の照明光軸Ａが設定され、上述した光学部品２２〜２５を照明光軸Ａに対する所定位置に配置する。
ヘッド体は、例えばアルミニウム合金またはマグネシウム合金等の金属材料から構成され、光学装置２５および投射レンズ２６を一体化するとともに、一体化した装置を光学部品用筐体に対して取付けるものである。
【００３９】
〔３．プロジェクタ１の内部構成〕
図３は、プロジェクタ１の内部構成を示すブロック図である。
プロジェクタ１は、前述した光学エンジン２と、制御手段としての制御基板３と、状態監視手段としての温度センサ４１と、音声アラート信号発信部としての無線発信部４２と、音声入力手段としての音声マイク４３と、スピーカ４４と、操作パネル４５とを備えている。
【００４０】
このうち、温度センサ４１は、サーミスタ等の感温素子を利用しており、電気抵抗値を基に周辺温度を測定することができる。感温素子は、光学エンジン２の温度が適切に測定可能な位置、例えば、前述したリフレクタ２１２（図２）の裏面上や、液晶パネル２５１（図２）近傍等に取付けられる。
温度センサ４１は、前記各位置における電気抵抗値を一定時間間隔で計測し、計測した電気抵抗値を表す動作状態信号を、後述する制御基板３の動作状態信号検出部３１５に出力する。
【００４１】
なお、図示を省略するが、プロジェクタ１の内部には、状態監視手段として温度センサ４１の他にも、光源ランプ２１１の累積使用時間を算出する時間累積部（図示省略）や、液晶パネル２５１の動作エラーを検出するモニタ等が設けられている。これら状態監視手段は、温度センサと同様に、検出した動作状態を表す動作状態信号を、制御基板３の動作状態信号検出部３１５に出力している。
【００４２】
無線発信部４２は、制御基板３から入力する発信指令信号に基づき、音声情報を、通信システム９０（図１）を介して携帯電話機９（図１）に発信する。発信先が複数ある場合、無線発信部４２は、音声情報を順に１つずつ発信することになる。
音声マイク４３は、プロジェクタ１の筐体外部へ露出して設けられている。音声マイク４３は、外部からの音声を取り込み、取り込んだ音声に基づく音声情報を、制御基板３に出力する。
【００４３】
スピーカ４４は、プロジェクタ１の筐体外部へ露出して設けられており、制御基板３から入力する音声情報に基づいた音声を、外部へ出力する。
操作パネル４５は、プロジェクタ１の筐体外部へ露出した複数の操作ボタンを備えている。操作パネル４５は、各操作ボタンの入力操作に応じたデジタル形式の操作信号を、制御基板３に出力する。なお、操作パネル４５は、無線通信によってプロジェクタ１を遠隔操作するリモートコントローラ（図示省略）に設けられるものであってもよい。
【００４４】
〔４．制御基板３の構成〕
制御基板３は、本発明の制御手段に相当し、図３に示すように、ＣＰＵ（Central Processing Unit）３１と、音声アラート信号記憶部および発信先記憶部としてのＦＲＯＭ（Flash Read Only Memory）３２と、ＲＡＭ（Random Access Memory）３３と、画像処理部３４と、液晶パネル制御部３５と、音声処理部３６と、アナログ/デジタル変換回路３７とを備えている。
【００４５】
このうち、ＦＲＯＭ３２は、ＣＰＵ３１によって処理されるプログラムや各種データが格納されている。具体的には、ＦＲＯＭ３２には、プロジェクタ制御プログラムや、初期設定プログラム、音声アラート発信処理プログラム、後述する音声アラート参照テーブル５（図５）等が格納されている。
ＲＡＭ３３は、ＣＰＵ３１の作業メモリとして利用され、必要に応じて、ＦＲＯＭ３２の各種データ等が一時的に書き込まれる。
【００４６】
画像処理部３４は、信号入力端子１１等を介して外部から入力するデジタル形式の画像情報を、光学エンジン２の液晶パネル２５１の仕様に適応する画像情報に変換する。
具体的には、画像処理部３４は、外部から入力するデジタル画像情報に対し、デコード処理、ガンマ補正処理、および、後述するＣＰＵ３１から出力される処理条件に従って、画像サイズの調整や画面表示位置の調整等の描画処理を行う。その後、画像処理部３４は、処理を施した画像情報を液晶パネル制御部３５に出力する。
なお、外部から入力する画像情報がアナログ形式であるとき、画像処理部３４は、当該画像情報に対し、アナログ/デジタル変換処理や同期信号分離処理等を加えて行う。
【００４７】
液晶パネル制御部３５は、画像処理部３４から入力する画像情報に基づいて、液晶パネル２５１を駆動する。
光源ランプ２１１から射出された光束は、画像情報に基づいて駆動された液晶パネル２５１によって変調され、投射レンズ２６を介してスクリーンＳｃに投射される。
【００４８】
音声処理部３６は、後述するＣＰＵ３１と、音声マイク４３およびスピーカ４４との間で交換される音声情報に対して信号処理を行う。
具体的には、音声処理部３６は、音声マイク４３から入力するアナログ形式の音声情報を、デジタル形式に変換してＣＰＵ３１に出力する。また、音声処理部３６は、ＣＰＵ３１から入力するデジタル形式の音声情報を、アナログ形式に変換してスピーカ４４に出力する。
アナログ/デジタル変換回路３７は、前述の温度センサ４１から入力する電気抵抗値情報を、デジタル形式に変換してＣＰＵ３１に出力する。
【００４９】
〔4-1．ＣＰＵ３１の機能的構成〕
ＣＰＵ３１の機能的構成を、図４〜図７を用いて説明する。
図４は、ＣＰＵ３１の機能的構成を示すブロック図、図５は、音声アラート参照テーブル５を説明するための模式図、図６は、プロジェクタ１によりスクリーンＳｃに投射された音声アラート設定画面６を示す模式図、図７は、プロジェクタ１によりスクリーンＳｃに投射された発信先登録画面７を示す模式図である。
ＣＰＵ３１は、図４に示すように、初期設定部３１１と、音声アラート発信処理部３１２とを備えている。
【００５０】
このうち、初期設定部３１１は、イベントＩと、音声アラートＷおよび音声復帰アラートＷＲと、発信先Ｐとの組合せを、後述する音声アラート参照テーブル５（図５）に登録する作業を行う。初期設定部３１１は、音声情報設定部としての音声アラート設定部３１３と、発信先設定部３１４とを備えている。
【００５１】
音声アラート設定部３１３は、管理者により入力される音声アラートＷおよび音声復帰アラートＷＲに応じて、イベントＩの設定を行う。
ここで、イベントＩとは、プロジェクタ１の動作上に生じた異常を示す。例えば、装置内部でのエラーや、光源ランプ２１１の寿命、内部温度の上昇等が挙げられる。
また、音声アラートＷおよび音声復帰アラートＷＲとは、音声マイク４３を介して入力された音声が変換された音声情報を示す。これは、主に、管理者が音声マイク４３に向かって発する声などが考えられる。
発信先Ｐとは、携帯電話機９（図１）の電話番号など、通信システム９０（図１）において、音声情報を発信する発信先を識別するための情報を示す。
【００５２】
音声アラート設定部３１３は、設定画面形成部３１３１と、音声アラート信号登録部としての音声アラート記録部３１３２とを備えている。
設定画面形成部３１３１は、操作パネル４５から出力される音声アラート設定信号を検知すると、ＦＲＯＭ３２に格納された初期設定プログラムに従って、音声アラート設定画面６（図６）を形成させるための描写処理を、画像処理部３４に実行させる。
なお、音声アラート設定画面６とは、本発明の音声設定画面に相当し、図６に示すように、イベントＩの選択と、選択されたイベントＩに対応する音声アラートおよび音声復帰アラートの入力とを管理者に促す。なお、図６に示す音声アラート設定画面６では、イベントＩのうち内部温度の異常上昇を示すイベントＩＴが選択され、このイベントＩＴに対応する音声アラートＷＴ（図５）が入力されている。
【００５３】
音声アラート記録部３１３２は、音声アラート設定画面６上において管理者により選択されたイベントＩと、当該イベントＩに対応して入力された音声アラートＷおよび音声復帰アラートＷＲとを取得し、これらイベントＩと、音声アラートおよび音声復帰アラートとの組合せを、ＦＲＯＭ３２に格納された音声アラート参照テーブル５に記録する。
図５は、音声アラート参照テーブル５を説明するための模式図である。
音声アラート参照テーブル５は、図５に示すように、プロジェクタ１においてイベントＩが発生した際に、無線発信部４２が発信する音声アラートＷおよび音声復帰アラートＷＲを記録している。
なお、管理者によるイベントＩの選択は、操作パネル４５に設けられた操作ボタンの操作によって行われる。
【００５４】
発信先設定部３１４は、各イベントＩに対応する発信先Ｐの設定を行う。発信先設定部３１４は、設定画面形成部３１４１と、発信先記録部３１４２とを備えている。
設定画面形成部３１４１は、操作パネル４５から出力する発信先設定信号を検出すると、ＦＲＯＭ３２に格納された初期設定プログラムに従って、発信先登録画面７（図７）を形成するための描写処理を、画像処理部３４に実行させる。
発信先登録画面７とは、各イベントＩに対する発信先Ｐの入力および選択を、管理者に促すための投射画面である。なお、図７に示す発信先登録画面７では、１つのイベントＩに対し、複数の発信先Ｐを設定することも可能となっている。また、図７に示す発信先登録画面７では、発信先Ｐとして、携帯電話機９（図１）の電話番号７１が入力されている。
【００５５】
発信先記録部３１４２は、発信先登録画面７（図７）上において管理者により入力された発信先Ｐを取得し、この発信先Ｐと、当該発信先Ｐが対応するイベントＩとの組合せを、前述した音声アラート参照テーブル５（図５）に記録する。
従って、音声アラート参照テーブル５には、図５に示すように、音声アラートＷの他に、イベントＩと対応する発信先Ｐが記録される。
なお、管理者による発信先Ｐの入力および選択は、操作パネル４５に設けられた操作ボタンの操作によって行われる。
【００５６】
音声アラート発信処理部３１２は、音声アラート発信処理と、音声復帰アラート発信処理とを行う。
音声アラート発信処理では、音声アラート発信処理部３１２は、プロジェクタ１の動作上にイベントＩが発生すると、当該イベントＩに対応する音声アラートＷを、発信先Ｐとして登録された携帯電話機９（図１）に発信する。
また、音声アラート発信処理部３１２では、音声アラート発信処理部３１２は、プロジェクタ１の動作状態がイベントＩから復帰すると、当該イベントＩに対応する音声復帰アラートＷＲを、発信先Ｐである携帯電話機９に発信する。
音声アラート発信処理部３１２は、イベント発生信号検出部としての動作状態信号検出部３１５と、音声アラート信号生成部および発信先取得部としての音声アラート参照部３１６とを備えている。
【００５７】
動作状態信号検出部３１５は、温度センサ４１等の状態監視手段が出力する動作状態信号を取得し、音声アラート参照テーブル５（図５）を参照して、当該動作状態信号がイベント発生信号か否か、または、状態復帰信号であるか否かを判定する。
【００５８】
イベント発生信号とは、プロジェクタ１の動作におけるイベントＩの発生を検出した信号である。
例えば、温度センサ４１から動作状態信号を入力すると、動作状態信号検出部３１５を構成する内部温度判定部３１５１は、まず、当該状態信号が示すプロジェクタ１の内部温度を解析する。そして、内部温度判定部３１５１は、解析された内部温度が、音声アラート参照テーブル５に記録された規定温度以上であるか否かを判定する。
解析された内部温度が規定温度以上である場合、内部温度判定部３１５１は、内部温度エラー（イベントＩＴ）が発生したと判断し、当該動作状態信号をイベント発生信号と判定する。そして、動作状態信号検出部３１５は、検出したイベント発生信号が示すイベントＩの発生を、音声アラート参照部３１６に連絡する。
一方、解析された内部温度が規定温度以下である場合、内部温度判定部３１５１は、プロジェクタ１の内部温度が通常範囲内と判定し、当該動作状態信号をイベント発生信号ではないと判定する。
なお、前記規定温度など、イベントＩの発生を判定するための判定基準Ｋは、音声アラート参照テーブル５（図５）に、予め記録されている。
【００５９】
状態復帰信号とは、プロジェクタ１の動作上で生じたイベントＩの復元を検出した信号である。
例えば、内部温度エラー（イベントＩＴ）の発生を示すイベント発生信号が検出された後、内部温度判定部３１５１は、入力する動作状態信号を監視し、当該動作状態信号が状態復帰信号か否かを判定する。すなわち、当該動作状態信号から解析される内部温度が、前記規定温度以下であるか否かを判定する。
解析された内部温度が規定温度以下である場合、内部温度判定部３１５１は、プロジェクタ１の動作状態が内部温度エラーから復帰したと判断し、当該動作状態信号を状態復帰信号と判定する。そして、動作状態信号検出部３１５は、検出した状態復帰信号が示すイベントＩの復元を、音声アラート参照部３１６に連絡する。
一方、解析された内部温度が規定温度以上である場合、内部温度判定部３１５１は、内部温度エラー継続中と判断し、当該動作状態信号を状態復帰信号ではないと判定する。
【００６０】
動作状態信号検出部３１５は、内部温度判定部３１５１の他にも、各イベントＩの発生を判定する判定部を備えている。例えば、前述した時間累積部が出力する光源ランプ２１１の累積使用時間を表す動作状態信号から、光源ランプ２１１の寿命を判定する光源寿命判定部等が挙げられる。
【００６１】
音声アラート参照部３１６は、動作状態信号検出部３１５からイベントＩが発生した旨を示す連絡を取得すると、前述した音声アラート参照テーブル５（図５）を参照し、イベントＩの種別に応じた音声アラートＷ、および、発信先Ｐを取得する。
例えば、動作状態信号検出部３１５からイベントＩＴが発生した旨を示す連絡を取得すると、音声アラート参照部３１６は、音声アラート参照テーブル５（図５）から、イベントＩＴに対応する音声アラートＷＴ、および、発信先ＰＴを取得する。
音声アラート参照部３１６は、取得した音声アラートＷを発信先Ｐに発信させるための発信指令信号を、無線発信部４２に出力する。
【００６２】
また、音声アラート参照部３１６は、動作状態信号検出部３１５からイベントＩが復元した旨を示す連絡を取得すると、音声アラート参照テーブル５（図５）から、イベントＩの種別に応じた音声復帰アラートＷＲ、および、発信先Ｐを取得する。
【００６３】
〔５．制御基板３の作用〕
図８および図９は、制御基板３が実行する作用を示す図である。ここで、本実施形態の制御基板３が実行する作用を、図４〜図９を用いて説明する。
制御基板３は、まず、図８に示す初期設定処理を行い、その後、プロジェクタ１の動作状態に応じて、図９に示す音声アラート発信処理および音声復帰アラート発信処理を行う。
【００６４】
〔5-1．初期設定処理〕
まず、図８を用いて、初期設定処理について説明する。
動作中のプロジェクタ１において、ＣＰＵ３１の初期設定部３１１を構成する音声アラート設定部３１３では、設定画面形成部３１３１が、操作パネル４５から入力する操作信号を監視している（Ｓ１）。そして、設定画面形成部３１３１は、音声アラート設定信号を検出したか否かを判定している（Ｓ２）。
音声アラート設定信号を検出しない場合、設定画面形成部３１３１は、処理Ｓ１に戻り、操作信号の入力の監視を続行する。
【００６５】
一方、音声アラート設定信号を検出すると、設定画面形成部３１３１は、ＦＲＯＭ３２に格納された初期設定プログラムを読み出し、音声アラート設定画面６（図６）の描写処理を実行させるための指令信号を、画像処理部３４に出力する（Ｓ３）。これにより、スクリーンＳｃ上には、音声アラート設定画面６が投射される。
【００６６】
音声アラート設定部３１３では、音声アラート記録部３１３２が、音声マイク４３から入力する音声情報を監視しており（Ｓ４）、音声情報を検出したか否かを判定している（Ｓ５）。
音声情報を検出しない場合、音声アラート記録部３１３２は、処理Ｓ４に戻り、音声情報の入力の監視を続行する。
一方、音声情報を検出すると、音声アラート記録部３１３２は、検出した音声情報を、選択されたイベントＩの音声アラートＷとして取得し、音声アラートＷを、ＦＲＯＭ３２に格納された音声アラート参照テーブル５（図５）に記録する（Ｓ６）。
【００６７】
なお、音声アラート参照テーブル５に記録された音声アラートＷは、音声アラート設定画面６の再生ボタン６１を実行することで、スピーカ４４を介して音声出力されることができる。
処理Ｓ４〜処理Ｓ６は、音声アラート設定画面６の終了ボタン６２の実行により出力される終了信号が検出されるまで、繰り返し行われる。
【００６８】
初期設定部３１１の発信先設定部３１４では、設定画面形成部３１４１が、操作パネル４５から入力する操作信号を監視している（Ｓ７）。そして、設定画面形成部３１４１は、音声発信先設定信号を検出したか否かを判定している（Ｓ８）。
発信先設定信号を検出しない場合、設定画面形成部３１４１は、処理Ｓ７に戻り、操作信号の入力の監視を続行する。
【００６９】
一方、発信先設定信号を検出した場合、設定画面形成部３１４１は、ＦＲＯＭ３２に格納された初期設定プログラムを読み出し、発信先登録画面７（図７）の描写処理を実行させるための指令信号を、画像処理部３４に出力する。これにより、スクリーンＳｃ上には、発信先登録画面７（図７）が投射される。
【００７０】
発信先設定部３１４では、発信先記録部３１４２が、操作パネル４５から入力する電話番号７１を監視しており（Ｓ１０）、電話番号７１を検出したか否かを判定している（Ｓ１１）。
電話番号７１を検出しない場合、発信先記録部３１４２は、処理Ｓ１０に戻り、電話番号７１の入力の監視を続行する。
一方、電話番号７１を検出すると、発信先記録部３１４２は、検出した電話番号７１を、選択されたイベントＩに対応する発信先Ｐとして、ＦＲＯＭ３２に格納された音声アラート参照テーブル５（図５）に記録する（Ｓ１２）。
【００７１】
処理Ｓ１０〜処理Ｓ１２は、発信先登録画面７の終了ボタン７２の実行により出力される終了信号が検出されるまで、繰り返し行われる。
なお、処理Ｓ６では、入力した音声情報を音声アラートＷとして取得したが、操作信号に応じて音声復帰アラートＷＲとして取得してもよい。
【００７２】
制御基板３が実行する初期設定処理（図８）によれば、音声マイク４３を介して外部から入力された音声情報を音声アラートＷとして取得し、さらに、当該音声アラートＷと、音声アラート設定画面６（図６）において選択されたイベントＩの種別とを関連づけて、音声アラート参照テーブル５（図５）に記録することができる。
従って、各イベントＩに対応する音声アラートＷを、管理者が音声マイク４３を介して自由に入力し、登録することができる。
また、発信先登録画面７（図７）においてイベントＩに対応する発信先Ｐを設定し、さらに、当該イベントＩと、設定された発信先Ｐとを関連づけて、音声アラート参照テーブル５（図５）に記憶させることができる。
従って、イベントＩの発生を伝える音声アラートＷが発信される発信先Ｐを、管理者が自由に設定することができる。プロジェクタ１の動作状態の異常を伝える連絡先を、管理者が自由に決定することができる。
【００７３】
さらに、配信先登録画面７（図７）において、１種類のイベントＩに対して複数の配信先Ｐを設定することができる。従って、あるイベントＩの音声アラート信号を、複数台の携帯電話機９に発信することができる。言い換えれば、プロジェクタ１の動作上における１種類の異常の発生を、複数の管理者に連絡することができる
【００７４】
〔5-2．音声アラート発信処理および音声復帰アラート発信処理〕
次に、図９を用いて、音声アラート発信処理および音声復帰アラート発信処理について説明する。
動作中のプロジェクタ１の制御基板３は、既に、前述の初期設定処理（図８）を完了している。
ＣＰＵ３１の音声アラート発信処理部３１２を構成する動作状態信号検出部３１５は、温度センサ４１等の状態監視手段から入力する動作状態信号を監視している（ＳＡ１）。そして、動作状態信号検出部３１５は、音声アラート参照テーブル５（図５）を参照して、検出した動作状態信号がイベント発生信号か否かを判定している（ＳＡ２）。
【００７５】
イベント発生信号を検出しない場合、動作状態信号検出部３１５は、処理ＳＡ１に戻り、動作状態信号の監視を続行する。
一方、イベント発生信号を検出した場合、動作状態信号検出部３１５は、検出したイベント発生信号が示すイベントＩの発生を、音声アラート参照部３１６に連絡する。
【００７６】
音声アラート参照部３１６は、動作状態信号検出部３１５からイベントＩ発生の連絡を受け取ると、音声アラート参照テーブル５（図５）を呼出す（ＳＡ３）。
そして、音声アラート参照部３１６は、呼出した音声アラート参照テーブル５を参照し、連絡されたイベントＩの種別に応じた音声アラートＷ、および、発信先Ｐを取得する（ＳＡ４）。
さらに、音声アラート参照部３１６は、取得した音声アラートＷを発信先Ｐに発信させるための発信指令信号を、無線発信部４２に出力する（ＳＡ５）。
【００７７】
無線発信部４２は、音声アラート参照部３１６から入力する発信指令信号に基づいて、通信システム９０に通信接続し、音声アラートＷを発信先Ｐが指定する携帯電話機９（図１）に発信する。
以上の処理ＳＡ１〜処理ＳＡ５において、制御基板３は、音声アラート発信処理を行う。
【００７８】
次に、動作状態信号検出部３１５は、温度センサ４１等の状態監視手段から入力する動作状態信号を監視している（ＳＡ６）。そして、動作状態信号検出部３１５は、音声アラート参照テーブル５（図５）を参照して、検出した動作状態信号が状態復帰信号か否かを判定している（ＳＡ７）。
【００７９】
状態復帰信号を検出しない場合、動作状態信号検出部３１５は、処理ＳＡ６に戻り、動作状態信号の監視を続行する。
一方、状態復帰信号を検出した場合、動作状態信号検出部３１５は、検出した状態復帰信号が示すイベントＩの復元を、音声アラート参照部３１６に連絡する。
【００８０】
音声アラート参照部３１６は、動作状態信号検出部３１５からイベントＩ復元の連絡を受け取ると、音声アラート参照テーブル５（図５）を呼出す（ＳＡ８）。
そして、音声アラート参照部３１６は、呼出した音声アラート参照テーブル５を参照し、連絡されたイベントＩ復元の種別に応じた音声復帰アラートＷＲ、および、発信先Ｐを取得する（ＳＡ９）。なお、図４に示すように、取得される発信先Ｐは、当該イベントＩが発生した際に音声アラートＷを発信された発信先と同様である。
さらに、音声アラート参照部３１６は、取得した音声復帰アラートＷＲを発信先Ｐに発信させるための発信指令信号を、無線発信部４２に出力する（ＳＡ１０）。
【００８１】
無線発信部４２は、音声アラート参照部３１６から入力する発信指令信号に基づいて、通信システム９０に通信接続し、音声復帰アラートＷＲを発信先Ｐが指定する携帯電話機９（図１）に発信する。
以上の処理ＳＡ６〜処理ＳＡ１０において、制御基板３は、音声復帰アラート発信処理を行う。
【００８２】
制御基板３が、処理ＳＡ１〜処理ＳＡ５で実行する音声アラート発信処理（図９）によれば、プロジェクタ１の動作上にイベントＩが発生した際に、このイベントＩを伝える音声アラートＷを、予め登録された携帯電話機９（図１）に発信することができる。すなわち、当該プロジェクタ１の動作上に発生したイベントＩを、携帯電話機９を所有している管理者に音声で連絡することができる。
携帯電話機９を介した音声による連絡であることから、当該プロジェクタ１に設けられた液晶モニタやＬＥＤランプ等の点灯、および、アラート音の出力等に比べて、当該プロジェクタ１による投射映像や音声の視聴環境を妨害せずに済む。従って、本実施携帯のプロジェクタは、プレゼンテーションや映画鑑賞等のプロジェクタ１の使用状況に応じて、動作状態の異常を管理者に連絡することができる。
【００８３】
また、音声による連絡は、例えば、インターネットを介したＥメールによる連絡と比べて、通信システムの混雑よる通信の遅延等が生じにくい。従って、本実施形態のプロジェクタ１は、プロジェクタ１の動作状態の異常を、タイムリーに、かつ、確実に、管理者に連絡することができる。
音声アラート参照部３１６は、音声アラート参照テーブル５（図５）を参照して、イベントＩの種類に応じた音声アラートＷを取得することができる。従って、プロジェクタ１に発生した異常について、その詳細な情報を管理者に連絡することができる。
【００８４】
さらに、制御基板３が、処理ＳＡ６〜ＳＡ１０で行う音声復帰アラート発信処理（図９）によれば、イベントＩに対し何らかの対策が行われ、プロジェクタ１が通常の動作状態に復帰すると、音声復帰アラート信号が携帯電話機９（図１）に発信される。従って、本実施形態のプロジェクタ１は、プロジェクタ１の動作状態の復帰を、状況に応じて、かつ、タイムリーに管理者に連絡することができる。
【００８５】
〔６．前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００８６】
前記実施形態では、受話装置として携帯電話機（図１）を採用したが、本発明では、例えば、固定電話、トランシーバなど、少なくとも受話機能を備えた通信装置を採用してもよい。
前記実施形態では、音声アラートＷを、通信システム９０を介して携帯電話機９に発信するとしたが、本発明では、固定電話に発信してもよい。さらに、音声アラートＷを、内線電話に発信してもよい。
無線発信部４２により発信された音声アラートＷが、携帯電話機９（図１）側で受信されなかった場合、無線発信部４２が、一定時間をおいて、再度同様の発信作業を実行するように設定してもよい。
前記実施形態では、管理者によって入力された音声情報を、音声アラートＷとして設定するとしたが、本発明では、プロジェクタ１の製造時に、予めＦＲＯＭ３２に記録されている基準音声情報を、音声アラートＷとして設定してもよい。
前記実施形態では、プロジェクタ１に液晶パネル２２を採用したが、本発明では、デジタル・マイクロミラー・デバイス（テキサスインスツルメント社商標）を採用してもよい。
【産業上の利用可能性】
【００８７】
本発明は、プロジェクタに利用することができる。
【図面の簡単な説明】
【００８８】
【図１】本発明の一実施形態に係るプロジェクタおよび携帯電話機を示す模式図。
【図２】前記実施形態に係る光学エンジンの光学系を示す模式平面図。
【図３】前記実施形態に係るプロジェクタの内部構成を示すブロック図。
【図４】前記実施形態に係るＣＰＵの機能的構成を示すブロック図。
【図５】前記実施形態に係る音声アラート参照テーブルを説明するための模式図。
【図６】前記実施形態に係る音声アラート設定画面を示す模式図。
【図７】前記実施形態に係る発信先登録画面を示す模式図。
【図８】前記実施形態に係る制御基板が実行する初期設定処理を説明するためのフロー図。
【図９】前記実施形態に係る制御基板が実行する音声アラート発信処理および音声復帰アラート発信処理を説明するためのフロー図。
【符号の説明】
【００８９】
１…プロジェクタ、３…制御基板、５…音声アラート参照テーブル、６…音声アラート設定画面、７…発信先登録画面、９…携帯電話機、２１１…光源（光源ランプ）、２５１…液晶パネル（光変調装置）、２６…投射レンズ、３２…ＦＲＯＭ（音声アラート信号記憶部、配信先記憶部）、４１…温度センサ（状態監視手段）、４２…無線発信部（音声アラート信号発信部）、４３…音声マイク、２１１…光源ランプ、２５１…液晶パネル、３１１…初期設定部、３１２…音声アラート発信処理部、３１３…音声アラート設定部、３１４…発信先設定部、３１５…動作状態信号検出部（イベント発生信号検出部）、３１６…音声アラート参照部（音声アラート信号生成部、発信先取得部）、３１３１…設定画面形成部（音声アラート設定部）、３１３２…音声アラート記録部（音声アラート信号登録部）、３１４１…設定画面形成部（配信先設定部）、３１４２…発信先記録部、Ｉ…イベント、Ｐ…発信先、Ｗ…音声アラート（音声アラート信号）、ＷＲ…音声復帰アラート（音声復帰アラート信号）
【図１】
2006337766.tif 000003
【図２】
2006337766.tif 000004
【図３】
2006337766.tif 000005
【図４】
2006337766.tif 000006
【図５】
2006337766.tif 000007
【図６】
2006337766.tif 000008
【図７】
2006337766.tif 000009
【図８】
2006337766.tif 000010
【図９】
2006337766.tif 000011